(57)【要約】【課題】作業工程および部品点数を削減しつつ、筐体の挿通孔とキーボタンとの間から水滴等の液体が筐体の内部に侵入した場合であっても、筐体の内部に収容される基板が損傷することを防止できる携帯型電話機を提供すること。【解決手段】キーパット４は、その表面が縦壁４３および横壁４２で格子状に区画されることにより周壁４４の内部に複数形成される空間である区画室４５を備えるので、区画室４５内に筐体の内部に侵入した液体を保持でき、かかる液体から基板を保護できる。従って、筐体２の内部に侵入した液体から基板を保護するための保護部材を不要とでき、かかる保護部材を取り付ける作業も省略できるので、子機の組付作業における作業工程および子機１の部品点数を削減できる。【選択図】図３
2010154406.tif 000002
【特許請求の範囲】
【請求項１】
操作面並びにその操作面に穿設される挿通孔を有する表ケース及びその表ケースに結合される裏ケースで構成される筐体と、前記表ケースの挿通孔に挿通される複数のキーボタンが表面から突設されるキーパットと、そのキーパットの裏面側に配設され前記キーパットと共に前記筐体の内部に収容される基板とを備えた携帯型電話機において、
前記キーパットは、
その表面から前記キーボタンの突出方向に突設され前記キーボタンの間で前記キーパットの長手方向に延設される縦壁と、
その表面から前記キーボタンの突出方向に突設され前記キーボタンの間で前記長手方向と交差する方向に延設される横壁と、
その横壁及び前記縦壁を取り囲み前記キーパットの表面の外縁に沿って延設されると共に前記キーボタンの突出方向に突設される周壁と、
その表面が前記縦壁および前記横壁で格子状に区画されることにより前記周壁の内部に複数形成される空間である区画室とを備えることを特徴とする携帯型電話機。
【請求項２】
前記キーパットは、その長手方向の端部に配設されると共に前記複数の区画室と隣設する集合室を備え、その集合室の空間が前記隣設する区画室の空間よりも大きく形成されることを特徴とする請求項１記載の携帯型電話機。
【請求項３】
前記横壁は、その突設先端から前記キーパットの表面側へ向けて凹設される溝である切り欠き溝を備えることを特徴とする請求項１又は２に記載の携帯型電話機。
【請求項４】
前記周壁は、前記縦壁および横壁よりも前記キーパットの表面から突設先端までの高さである突設量が大きく形成され、
前記縦壁の突設量は、前記横壁の切り欠き溝によって形成される最も低い部分の突設量より大きく設定されることを特徴とする請求項３記載の携帯型電話機。
【請求項５】
前記表カバーは、その裏面に形成され前記周壁が係合する溝である周溝を備えることを特徴とする請求項１から４のいずれかに記載の携帯型電話機。
【請求項６】
前記筐体の内部には、収容可能な環状のコイルを備え、
前記キーパットは、前記集合室が形成される部分の裏面から前記基板側に突出する突部と、その突部に一端が嵌合するＬ字型の排出パイプとを備え、
前記筐体は、前記排出パイプの他端開口に対向すると共に、前記筐体を起立状態とした場合に前記挿通孔の下方に配設される底面を貫通する水抜き孔を備え、
前記コイルは、前記排出パイプの他端に挿通され、前記排出パイプで保持されることを特徴とする請求項２から５のいずれかに記載の携帯型電話機。
【請求項７】
前記集合室に配設されると共に液体を吸収可能に構成される吸収体を備えることを特徴とする請求項２から５のいずれかに記載の携帯型電話機。
【発明の詳細な説明】
【技術分野】
【０００１】
本発明は携帯型電話機に関し、特に、作業工程および部品点数を削減しつつ、筐体の挿通孔とキーボタンとの間から水滴等の液体が筐体の内部に侵入した場合であっても、筐体の内部に収容される基板が損傷することを防止できる携帯型電話機に関するものである。
【背景技術】
【０００２】
従来の携帯型電話機が特許文献１に開示されている。かかる従来型の携帯電話機の一種である携帯電話機１は、操作面に貫通した空所３を有する筐体２と、筐体２内に収容される基板８と、筐体２の空所を外側から密閉するキーパット５と、キーパット５から操作面側に突設される複数のキーボタン６と、キーボタン６と対応する位置に挿通孔１４が穿設されるキーパット用カバー１３とを備え、キーパット用カバー１３の挿通孔１４にキーボタン６を挿通させることにより、キーボタン６の操作面を除き、キーパット用カバー１３がキーパット５を覆った状態で筐体２に取り付けられる。
【０００３】
よって、使用者が濡れた手で携帯電話機１を握持したり、転倒したお茶等の水分が携帯電話機１の操作面に付着したりすることによって、キーパット用カバー１３の挿通孔１４とキーボタン６との隙間から漏れ出た水滴等の液体がキーパット５側に侵入した場合であっても、キーパット５は筐体２操作面に貫通した空所３を外側から密閉するので、水滴等の液体が筐体２の内部に侵入することを防止できる。従って、筐体２の内部に侵入した水滴等の液体が基板側に回り込んで基板に付着して基板が損傷することを防止できる。  
【特許文献１】特開２００１−１４８７２６号
【発明の開示】
【発明が解決しようとする課題】
【０００４】
しかしながら、上述した従来の携帯電話機１では、筐体２と、キーボタン６と対応する位置に挿通孔１４が穿設されるキーパット用カバー１３とが別体で構成されるので、キーパット５を筐体２の外側に取り付けた後に、キーパット５をキーパット用カバー１３で覆わなければならず、作業工程および部品点数が増大するという問題点があった。
【０００５】
本発明は上述した問題点を解決するためになされたものであり、作業工程および部品点数を削減しつつ、筐体の挿通孔とキーボタンとの間から水滴等の液体が筐体の内部に侵入した場合であっても、筐体の内部に収容される基板が損傷することを防止できる携帯型電話機を提供することを目的としている。
【課題を解決するための手段】
【０００６】
この目的を達成するために、請求項１記載の携帯型電話機は、操作面並びにその操作面に穿設される挿通孔を有する表ケース及びその表ケースに結合される裏ケースで構成される筐体と、前記表ケースの挿通孔に挿通される複数のキーボタンが表面から突設されるキーパットと、そのキーパットの裏面側に配設され前記キーパットと共に前記筐体の内部に収容される基板とを備えるものであって、前記キーパットは、その表面から前記キーボタンの突出方向に突設され前記キーボタンの間で前記キーパットの長手方向に延設される縦壁と、その表面から前記キーボタンの突出方向に突設され前記キーボタンの間で前記長手方向と交差する方向に延設される横壁と、その横壁及び前記縦壁を取り囲み前記キーパットの表面の外縁に沿って延設されると共に前記キーボタンの突出方向に突設される周壁と、その表面が前記縦壁および前記横壁で格子状に区画されることにより前記周壁の内部に複数形成される空間である区画室とを備えている。
【０００７】
請求項２記載の携帯型電話機は、請求項１記載の携帯型電話機において、前記キーパットは、その長手方向の端部に配設されると共に前記複数の区画室と隣設する集合室を備え、その集合室の空間が前記隣設する区画室の空間よりも大きく形成されている。
【０００８】
請求項３記載の携帯型電話機は、請求項１又は２に記載の携帯型電話機において、前記横壁は、その突設先端から前記キーパットの表面側へ向けて凹設される溝である切り欠き溝を備えている。
【０００９】
請求項４記載の携帯型電話機は、請求項３記載の携帯型電話機において、前記周壁は、前記縦壁および横壁よりも前記キーパットの表面から突設先端までの高さである突設量が大きく形成され、前記縦壁の突設量は、前記横壁の切り欠き溝によって形成される最も低い部分の突設量より大きく設定されている。
【００１０】
請求項５記載の携帯型電話機は、請求項１から４のいずれかに記載の携帯型電話機において、前記表カバーは、その裏面に形成され前記周壁が係合する溝である周溝を備えている。
【００１１】
請求項６記載の携帯型電話機は、請求項２から５のいずれかに記載の携帯型電話機において、前記筐体の内部には、収容可能な環状のコイルを備え、前記キーパットは、前記集合室が形成される部分の裏面から前記基板側に突出する突部と、その突部に一端が嵌合するＬ字型の排出パイプとを備え、前記筐体は、前記排出パイプの他端開口に対向すると共に、前記筐体を起立状態とした場合に前記挿通孔の下方に配設される底面を貫通する水抜き孔を備え、前記コイルは、前記排出パイプの他端に挿通され、前記排出パイプで保持されている。
【００１２】
請求項７記載の携帯型電話機は、請求項２から５のいずれかに記載の携帯型電話機において、前記集合室に配設されると共に液体を吸収可能に構成される吸収体を備えている。
【発明の効果】
【００１３】
請求項１記載の携帯型電話機によれば、操作面及びその操作面に穿設される挿通孔を有する表ケースと裏ケースとを結合させて構成される筐体の内部に、表ケースの挿通孔に挿通される複数のキーボタンが表面から突設されるキーパットと、そのキーパットの裏面側に配設される基板とが収容される。
【００１４】
ここで、請求項１記載の携帯型電話機によれば、縦壁、横壁および周壁がキーパットの表面からキーボタンの突出方向に突設されると共に、縦壁がキーボタンの間でキーパットの長手方向に延設され、横壁がキーボタンの間で長手方向と交差する方向に延設され、周壁がキーパットの表面の外縁に沿って延設されて横壁及び縦壁を取り囲むので、キーパットの表面には、周壁の内部に縦壁および横壁で格子状に区画される空間である区画室が複数形成される。
【００１５】
よって、キーパットの形状を変更するだけで、筐体の内部に侵入した水滴等の液体（以下液体という）を区画室内に保持でき、かかる液体から基板を保護することができる。従って、筐体の内部に侵入した液体から基板を保護するための保護部材を不要とでき、かかる保護部材を取り付ける作業も省略できるので、携帯電話機を組み付ける作業工程および携帯電話機の部品点数を削減できるという効果がある。
【００１６】
加えて、液体を区画室で保持できるので、その液体を蒸発により外部へ排出することができる。よって、筐体の内部に侵入した液体が、その液体状態のままで、筐体の外部に流れ出ることを抑制できるという効果がある。従って、複数のユーザーが一つの携帯型電話を共有する場合等において、携帯型電話機の使用中に、見覚えのない他のユーザーに起因する液体（他のユーザーの手に付着した水滴等）が携帯型電話機から排出されることにより、ユーザーが不快に感じることを抑制できるという効果がある。
【００１７】
さらに、区画室が複数形成されるので、筐体が起立状態とされた場合であっても、筐体の内部に侵入した液体を各区画室に分散させて保持することができる。よって、筐体の内部に侵入した液体が周壁内部の空間の一部に集中して、かかる液体が、周壁を越えてキーパットの裏面側に流れ込むことを抑制できる。従って、筐体の内部でキーパットの裏面側に収容される基板に液体が付着して損傷することを抑制できるという効果がある。
【００１８】
請求項２記載の携帯型電話機によれば、請求項１記載の携帯型電話機の奏する効果に加え、キーパットは、その長手方向の端部に配設される集合室が複数の区画室と隣設するので、多量の液体が筐体の内部に侵入した場合（お茶をこぼした場合等）には、筐体が起立状態とされると、液体はその液体が侵入した区画室から隣設する下側の区画室に次から次へと縦壁を伝って（縦壁に案内されて）筐体の長手方向へ流れ、各区画室で保持しきれない液体が集合室に集められる。また、集合室は、その空間がその隣設する区画室の空間よりも大きく形成されるので、集合室に集められた液体を保持できる。
【００１９】
この場合において、液体が縦壁を伝って（縦壁に案内されて）隣設する下側の区画室へ流れるので、かかる液体がキーパットの幅方向で周壁側に偏ることを抑制できる。よって、筐体が起立状態とされ、筐体の内部に侵入した多量の液体が集合室に向かって流れる場合において、かかる液体が周壁を越えてキーパットの裏面側に流れ込むことを抑制できる。従って、筐体の内部でキーパットの裏面側に収容される基板に液体が付着して基板が損傷することを抑制できるという効果がある。
【００２０】
請求項３記載の携帯型電話機によれば、請求項１又は２に記載の携帯型電話機の奏する効果に加え、横壁には、その突設先端からキーパットの表面側へ向けて凹設される溝である切り欠き溝が形成されるので、筐体が倒伏状態であっても、区画室に侵入した液体が切り欠き溝によってキーパットの長手方向で隣設する区画室へ導かれる。よって、かかる液体がキーパットの幅方向で周壁側に偏ることを抑制できるので、液体がキーパットの幅方向の端部に配設される周壁を越えることを抑制できる。従って、液体が周壁を越えてキーパットの裏面側に流れ込むことを抑制しつつ、複数の区画室に振り分けられるので、複数の区画室で液体を保持できる。一方、筐体が起立状態とされると、切り欠き溝がない場合に比べて、より多くの液体が切り欠き溝から下方の区画室に流れるので、液体が周壁を越えてキーパットの裏面側に流れ込むことを抑制しつつ、複数の区画室で液体を保持できる。従って、筐体が倒伏状態又は起立状態のどちらであっても、キーパットの裏面側に液体が流れ込むことを抑制できるので、筐体の内部でキーパットの裏面側に収容される基板に液体が付着して基板が損傷することを確実に抑制できるという効果がある。
【００２１】
請求項４記載の携帯型電話機によれば、請求項３記載の携帯型電話機の奏する効果に加え、キーパットの表面で最も外側に配設される周壁は、キーパットの表面で周壁の内部に配設される縦壁および横壁よりもキーパットの表面から突設先端までの高さである突設量が大きくなる。よって、筐体の内部に侵入した液体が周壁を越えてキーパットの裏面側に流れ込むことを確実に抑制できる。よって、筐体の内部でキーパットの裏面側に収容される基板に液体が付着して基板が損傷することを確実に抑制できるという効果がある。
【００２２】
また、縦壁の突設量は、横壁の切り欠き溝によって形成される最も低い部分の突設量より大きく設定されるので、筐体が起立状態とされると、各区画室で保持しきれない液体を縦壁に沿って下方に流すことができる。よって、液体は、その液体が侵入した区画室からその区画室の下方の区画室へ縦壁を伝って（縦壁に案内されて）キーパットの長手方向に振り分けられるので、多量の液体が筐体の内部に侵入した場合であっても、かかる液体が周壁を越えてキーパットの裏面側に流れ込むことを抑制しつつ、各区画室で液体を保持することができる。従って、液体がキーパットの裏面側に流れ込むことを抑制できるので、筐体の内部でキーパットの裏面側に収容される基板に液体が付着して基板が損傷することを抑制できるという効果がある。
【００２３】
請求項５記載の携帯型電話機によれば、請求項１から４のいずれかに記載の携帯型電話機の奏する効果に加え、表カバーの裏面に周壁が係合する溝である周溝が形成されるので、表カバーとキーパットとの連結部分を周溝と周壁とで係合構造とすることができ、筐体の内部に侵入した液体が周壁を越える高さとなった場合であっても、かかる係合構造によって、液体がキーパットの裏面側に流れ込むことを抑制できる。従って、筐体の内部に収容される基板に液体が付着して基板が損傷することを抑制できるという効果がある。
【００２４】
請求項６記載の携帯型電話機によれば、請求項２から５のいずれかに記載の携帯型電話機の奏する効果に加え、集合室が形成される部分の裏面から基板側に突出する突部の一端にＬ字型の排出パイプが嵌合し、その排出パイプの他端開口に対向すると共に、筐体が起立状態とされた場合に挿通孔の下方に配設される底面を貫通する水抜き孔が筐体に穿設されるので、集合室に集められた液体を排出パイプ及び筐体の水抜き孔を介して筐体の外部に排出できる。よって、多量の液体が筐体の内部に侵入した場合であっても、キーパットの裏面側に流れ込むことを確実に抑制できる。従って、筐体の内部でキーパットの裏面側に収容される基板に液体が付着して基板が損傷することを抑制できるという効果がある。
【００２５】
また、筐体の内部に配設されるコイルは、Ｌ字型の排出パイプの他端に挿通され保持されるので、電流が流れ磁界が発生した場合に発生するコイルの振動が排出パイプの一端で規制される。よって、コイルの振動を抑制できるという効果がある。
【００２６】
請求項７記載の携帯型電話機によれば、請求項２から５のいずれかにのいずれかに記載の携帯型電話機の奏する効果に加え、液体を吸収可能に構成される吸収体が集合室に配設されるので、集合室に集められた液体をかかる吸収体で吸収できる。よって、集合室に集められた液体が筐体の外部に排出されることを抑制できるので、見覚えのない液体が携帯型電話機から排出されることにより、ユーザーが不快に感じることを抑制できるという効果がある。
【発明を実施するための最良の形態】
【００２７】
以下、本発明の好ましい実施の形態について、添付図面を参照して説明する。携帯型電話機の一例として子機１を用いて説明するが、他の携帯型電話機、例えば携帯電話機等に用いることはもちろん可能である。図１（ａ）は、本発明の第一実施の形態における側方から視た子機１の正面図であり、図１（ｂ）は、図１（ａ）のＩｂ―Ｉｂ線における子機１の一部断面図であり、図１（ｃ）は、図１の矢印Ｉｃ方向から視た子機１の下面図である。また、表ケース２０とキーパット４とは、理解を容易とするために断面線が省略されている。なお、図１（ｂ）では、Ｘで示す部分が拡大図示されている。
【００２８】
図１（ａ）から図１（ｃ）に示すように、子機１は、表ケース２０及び裏ケース３０で構成される筐体２と、複数のキーボタン４１が表面から突設されるキーパット４と、そのキーパット４の裏面側（図１（ｂ）左側）に配設され、キーパット４と共に筐体２の内部に収容される基板５とを備えている。
【００２９】
図１（ａ）に示すように、筐体２は、内部に基板５及び電池（図示せず）等を収容する収容空間を形成するケースであって、挿通孔２１が穿設される表ケース２０と、その表ケース２０に結合される裏ケース３０とで構成される。
【００３０】
表ケース２０には、その表面の上部に電話番号等が表示される表示面２０Ａが形成され、その表示面２０Ａの下側に複数の挿通孔２１及び十字状の操作孔２２が穿設される操作面２０Ｂが形成され、筐体２が起立状態とされた場合に、挿通孔２１の下方に配設される底面２０Ｃが形成される。
【００３１】
操作面２０Ｂに挿通孔２１と操作孔２２とが穿設され、挿通孔２１には後述するキーボタン４１が挿通され、操作孔２２にはボタンケース７が挿通される。また、図１（ｂ）及び図１（ｃ）に示すように、底面２０Ｃには裏ケース３０側（図１（ｃ）下側）へ半円状に突出する突出部２３が形成され、この突出部２３に後述するコイル６（図３（ｂ）参照）が配設される。
【００３２】
図１（ｂ）に示すように、表ケース２０は、操作面２０Ｂが表示面２０Ａよりも裏ケース３０側に凹むように湾曲形成されており、子機１のデザイン性を向上させている。この操作面２０Ｂが形成される表ケース２０の下部について、図２を参照して後に詳しく説明する。
【００３３】
図１（ｂ）に示すように、キーパット４は、ゴム等の弾性部材で形成された矩形状の板材であって、その表面から複数のキーボタン４１が突設される。このキーボタン４１が表ケース２０の操作孔２２に挿通にされることにより、キーパット４が表ケース２０に結合される。このキーパット４について、図３を参照して後に詳しく説明する。
【００３４】
図１（ｂ）に示すように、基板５は、プリント配線板であって、その表面側（図１（ｂ）右側）のキーボタン４１に対応する位置に設けられる電極４１ａがキーボタン４１を介して接離するように構成される。
【００３５】
図２を参照して、表ケース２０の下部について説明する。図２（ａ）は、表ケース２０の背面図であり、図２（ｂ）は、裏面から視た表ケース２０の斜視図である。また、図２（ｂ）では、Ｙで示す部分が拡大図示されている。なお、後述する周溝２４の形状を理解し易くするために、周壁４４の部分にハッチングを施している。また、後述する挿通孔２１の一部に符号を付し、残りの部分においては、符号が省略されている。
【００３６】
図２（ａ）及び図２（ｂ）に示すように、表ケース２０には、その裏面からキーパット４の外形ライン（後述する周壁４４（図３（ａ）参照））と一致する周溝２４が形成される。その周溝２４は後述する周壁４４が係合する溝であって、表ケース２０の操作面２０Ｂ（図１（ａ）参照）の裏面から突設される一対の立壁２４ａによって構成される。
【００３７】
その立壁２４ａの表ケース２０の裏面から突設先端までの高さである突設量は、表ケース２０の湾曲形状に対応して、表示面２０Ａに近接するに従って大きく設定され、操作面２０Ｂの中央側で最も小さく設定される。よって、後述する周壁４４（図３（ｂ）参照）を周溝２４に確実に嵌合させることができる。
【００３８】
図２（ａ）及び図２（ｂ）に示すように、表ケース２０の底面２０Ｃには、上述したように、突出部２３が形成され、その突出部２３には、厚み方向（図２（ａ）上下方向）に貫通する水抜き孔２５が形成される。また、表ケース２０の底面２０Ｃからコイル収容部２７が突設される。このコイル収容部２７と表ケース２０の底面２０Ｃとで形成される空間に後述するコイル６（図３（ｂ）参照）が配設される。さらに、表ケース２０には、その裏面からマイク収容部２６が突設され、複数の挿通孔２１のうち、最も表ケース２０の底面２０Ｃに近接する挿通孔２１より底面２０Ｃ側（図２（ａ）下側）の位置に配設される。かかるマイク収容部２６は、大小２つのリング状の突起とその中心に穿設される孔とで形成され、かかるマイク収容部２６には、後述するキーパット４のマイク突部４６ａ（図３（ｂ）参照）が嵌合される。
【００３９】
図３から図４を参照して、キーパット４について説明する。図３（ａ）は、キーパット４の正面図であり、図３（ｂ）は、正面から視たキーパット４の斜視図である。図３（ａ）において、筐体２（図１参照）の内部に侵入した液体が流れる方向を二点鎖線の矢印で図示する。なお、図３（ｂ）のＺで示す部分について拡大図示される。また、図４（ａ）は、図１（ａ）のＩＶａ―ＩＶａ線における子機１の拡大断面図であり、図４（ｂ）は、図１（ｂ）のＩＶｂ部における子機１の一部拡大断面図である。後述するキーボタン４１、横壁４２、縦壁４３及び切り欠き溝４２ａについて、これらの一部に符号を付し、残りの部分においては、符号が省略されている。
【００４０】
図３及び図４に示すように、キーパット４は、その表面からキーボタン４１の突出方向（図３（ａ）紙面手前方向）に突設されキーボタン４１の間でキーパット４の長手方向（図３（ａ）上下方向）に延設される縦壁４３と、その表面からキーボタン４１の突出方向に突設されキーボタンの間でキーボタン４１の長手方向と交差する方向（図３（ａ）左右方向）に延設される横壁４２と、その横壁４２及び縦壁４３を取り囲みキーパット４の表面の外縁に沿って延設されると共にキーボタン４１の突出方向に突設される周壁４４と、その表面が縦壁４３および横壁４２で格子状に区画されることにより周壁４４の内部に複数形成される空間である区画室４５とを備えている。
【００４１】
よって、本発明の子機１において、キーパット４の形状を変更するだけで、即ちキーパット４に、後述する横壁４２、縦壁４３、周壁４４によって区画室４５を形成するだけで、その区画室４５内に筐体２の内部に侵入した水滴等の液体（以下液体という）を保持でき、かかる液体から基板５を保護できる。従って、筐体２の内部に侵入した液体から基板５を保護するための保護部材を不要とでき、かかる保護部材を取り付ける作業も省略できるので、子機１の組付作業における作業工程および子機１の部品点数を削減できる。
【００４２】
図３（ａ）及び図３（ｂ）に示すように、キーボタン４１は、表ケース２０の挿通孔２１に挿通される楕円形状の矩形ボタン４１ｂと、表ケース２０の操作孔２２に挿通され、ボタンケース７で覆われる丸ボタン４１ｃとで構成される。キーパット４には、矩形ボタン４１ｂが２１個形成され、丸ボタン４１ｃが４個形成される。
【００４３】
図３（ａ）及び図３（ｂ）に示すように、縦壁４３は、キーパット４の長手方向（図３（ａ）上下方向）に直線状に延設される突起であって、その突設量（キーパット４の表面から突設先端までの高さ）がキーパット４の長手方向で同一に設定される。また、キーパット４の長手方向における集合室４６側（図３（ａ）下側）の縦壁４３の端部には、周壁４４との連結部分に、連通溝４３ａが穿設される。この連通溝４３ａを介して集合室４６と、その集合室４６とキーパット４の幅方向（図３（ａ）上下方向）に隣設する区画室４５とが連通される。
【００４４】
図３（ａ）及び図３（ｂ）に示すように、横壁４２は、キーパット４の幅方向（図３（ａ）左右方向）に直線状に突設される突起であって、その突設量（キーパット４の表面から突設先端までの高さ）がキーパット４の幅方向（図３（ａ）左右方向）で同一に設定される。
【００４５】
図３（ａ）及び図３（ｂ）に示すように、周壁４４は、キーパット４の表面の外縁に沿って延設される突起であって、その突起の形状が正面視矩形状されると共に、その突設量が全体にわたって同一に設定される。
【００４６】
図４（ａ）及び図４（ｂ）に示すように、かかる周壁４４は、上述したように、周壁４４の形状に一致した周溝２４に係合するので、表ケース２０とキーパット４との連結部分を周溝２４と周壁４４とで係合構造とすることができる。従って、筐体２の内部に侵入した液体が周壁４４を越える高さとなった場合であっても、かかる係合構造によって、液体がキーパット４の裏面側（図４（ａ）下側）に流れ込むことを抑制でき、筐体２の内部に収容される基板５に液体が付着して基板５が損傷することを抑制できる。
【００４７】
また、横壁４２の幅方向端部（図４（ａ）左右方向の端部）は、後述する周壁４４に連結されるので、周壁４４のうち、キーパット４の長手方向（図４（ａ）上下方向）に延設される部分の剛性を向上できる。よって、周壁４４を周溝２４に係合させる場合に周壁４４を周溝２４に挿入する作業を簡易化することができる。従って、キーパット４を表ケース２０に結合させる組付作業性を向上できる。
【００４８】
図３（ａ）及び図３（ｂ）に示すように、区画室４５は、キーパット４の表面が縦壁４３および横壁４２で格子状に区画される空間であって、周壁４４の内部に複数形成される。よって、液体を区画室４５で保持できるので、その液体を蒸発により外部に排出できる。よって、筐体２の内部に侵入した液体が、その液体状態のままで、筐体２の外部に流れ出ることを抑制できる。従って、複数のユーザーが一つの子機１を共有する場合において、子機１の使用中に、見覚えのない他のユーザーに起因する液体（他のユーザーの手に付着した液体）が子機１から排出されることにより、ユーザーが不快に感じることを抑制できる。
【００４９】
さらに、区画室４５が複数形成されるので、筐体２が起立状態とされた場合であっても、筐体２の内部に侵入した液体を各区画室４５に分散させて保持できる。よって、筐体２の内部に侵入した液体が周壁４４内部の空間の一部に集中して、かかる液体が、図４（ａ）に示すように、周壁４４を越えてキーパット４の裏面側（図４（ａ）下側）に流れ込むことを抑制できる。従って、筐体２の内部でキーパット４の裏面側に収容される基板５に液体が付着して損傷することを抑制できる。
【００５０】
図４（ａ）及び図４（ｂ）に示すように、横壁４２は、その突設先端からキーパット４の表面側（図４（ａ）下側）へ向けて凹設される溝である切り欠き溝４２ａが複数形成される。よって、筐体２が倒伏状態であっても、区画室４５に侵入した液体が切り欠き溝４２ａによってキーパット４の長手方向（図４（ｂ）上下方向）で隣設する区画室４５へ導かれる。よって、かかる液体がキーパット４の幅方向で周壁４４側（図４（ａ）右側又は左側）に偏ることを抑制できるので、液体がキーパット４の幅方向でその端部側（図４（ａ）右側又は左側）に配設される周壁４４を越えることを抑制できる。従って、液体が周壁４４を越えてキーパット４の裏面側（図４（ａ）下側）に流れ込むことを抑制しつつ、複数の区画室４５に振り分けられるので、複数の区画室４５で液体を保持できる。
【００５１】
一方、筐体２が起立状態とされると、切り欠き溝４２ａがない場合に比べて、より多くの液体が切り欠き溝４２ａから下方（図４（ｂ）下方）の区画室４５に流れるので、液体が周壁４４を越えてキーパット４の裏面側（図４（ａ）下側）に流れ込むことを抑制しつつ、複数の区画室４５で液体を保持できる。従って、筐体２が倒伏状態又は起立状態のどちらであっても、キーパット４の裏面側に液体が流れ込むことを抑制できるので、筐体２の内部でキーパット４の裏面側に収容される基板５に液体が付着して基板５が損傷することを確実に抑制できる。
【００５２】
また、切り欠き溝４２ａは、各横壁４２にそれぞれ同じ形状で３つ穿設され、キーパット４の幅方向（図４（ａ）左右方向）で各区画室４５の中央に配設される。よって、筐体２の内部（キーパット４の表面側）に侵入した液体をキーパット４の長手方向（図４（ｂ）上下方向）で各区画室４５に振り分けることができるので、各区画室４５で液体を保持できる。
【００５３】
また、切り欠き溝４２ａは、横壁４２全体が突設方向（図４（ａ）上下方向）に切り欠かれておらず、横壁４２の一部を残存させている。よって、区画室４５に保持可能な液体の量を確保しつつ、複数の区画室４５に振り分けて保持できる。従って、筐体２の内部でキーパット４の裏面側（図４（ａ）下側）に収容される基板５に液体が付着して基板５が損傷することを確実に抑制できる。
【００５４】
図４（ａ）に示すように、周壁４４は、縦壁４３および横壁４２よりも突設量が大きく形成される。よって、キーパット４の表面で最も外側に配設される周壁４４は、キーパット４の表面で周壁４４の内部に配設される縦壁４３および横壁４２よりもキーパット４の表面から突設先端までの高さである突設量が大きくなる。従って、筐体２の内部に侵入した液体が周壁４４を越えてキーパット４の裏面側（図４（ａ）下側）に流れ込むことを確実に抑制できる。結果として、筐体２の内部でキーパット４の裏面側に収容される基板５に液体が付着して基板５が損傷することを確実に抑制できる。
【００５５】
また、縦壁４３の突設量は、横壁４２の切り欠き溝４２ａによって形成される最も低い部分の突設量より大きく設定されるので、筐体２が起立状態とされると、各区画室４５で保持しきれない液体を縦壁４３に沿って下方（図４（ｂ）下方）に流すことができる。よって、液体は、その液体が侵入した区画室４５からその区画室４５の下方の区画室４５へ縦壁４３を伝って（縦壁に案内されて）キーパット４の長手方向（図４（ｂ）上下方向）に振り分けられるので、多量の液体が筐体２の内部に侵入した場合であっても、かかる液体が周壁４４を越えてキーパット４の裏面側（図４（ａ）下側）に流れ込むことを抑制しつつ、各区画室４５で液体を保持することができる。従って、筐体２の内部でキーパット４の裏面側に収容される基板５に液体が付着して基板５が損傷することを抑制できる。
【００５６】
図３（ａ）及び図３（ｂ）に示すように、集合室４６は、キーパット４の長手方向の端部に配設されると共に複数の区画室４５と隣設する空間であって、その集合室４６の空間が隣設する区画室４５の空間よりも大きく形成される。よって、キーパット４は、筐体２（図４（ａ）参照）が起立状態とされた場合に、その長手方向の下側（図３（ａ）下側）の端部に配設される集合室４６が複数の区画室４５と隣設する。従って、多量の液体が筐体２の内部に侵入した場合（お茶をこぼした場合等）には、筐体２が起立状態とされると、液体はその液体が侵入した区画室４５から隣設する下側の区画室４５に次から次へと縦壁４３を伝って（縦壁４３に案内されて）筐体２の長手方向へ流れるので、各区画室４５で保持しきれない液体が集合室４６に集められる。また、集合室４６は、その空間がその隣設する区画室４５の空間よりも大きく形成されるので、集合室４６に集められた液体を保持できる。
【００５７】
この場合において、図４（ａ）及び図４（ｂ）に示すように、液体が縦壁４３を伝って（縦壁４３に案内されて）隣設する下側（図４（ｂ）下側）の区画室４５へ流れるので、かかる液体がキーパット４の幅方向（図４（ａ）左右方向）で周壁４４側に偏ることを抑制できる。よって、筐体２が起立状態とされ、筐体２の内部に侵入した多量の液体が集合室４６に向かって流れる場合において、かかる液体が周壁４４を越えてキーパット４の裏面側に流れ込むことを抑制できる。従って、筐体２の内部でキーパット４の裏面側に収容される基板５に液体が付着して基板５が損傷することを抑制できる。
【００５８】
図４（ｂ）に示すように、突部４７は、キーパット４の集合室４６が形成される部分の裏面から基板５側（図４（ｂ）左側）に突出し、キーパット４の裏面から視て（図４（ｂ）左側から視て）下方が開口するコの字型に形成される突起であって、その突部４７に後述する排出パイプ４９が嵌合する（図３（ｂ）参照）。
【００５９】
キーパット４の突部４７で取り囲まれた部分には、キーパット４を厚み方向（図４（ｂ）左右方向）に貫通する孔である出口孔４８が穿設される。この出口孔４８を介して集合室４６と後述する排出パイプ４９とが連通されるので、集合室４６に集められた液体が排出パイプ４９から外部に排出される。
【００６０】
図４（ｂ）に示すように、排出パイプ４９は、Ｌ字型のパイプであって、突部４７に嵌合する排出パイプ４９の一端が基板５と直交する方向（図４（ｂ）左右方向）に延設されると共に、表ケース２０の底面２０Ｃに穿設される水抜き孔２５と対向する他端が基板５の長手方向（図４（ｂ）上下方向）に延設される。出口孔４８を介して集合室４６から排出された液体は、排出パイプ４９を流れて水抜き孔２５から筐体２の外部に排出される。よって、筐体２の内部でキーパット４の裏面側に収容される基板５に液体が付着して基板５が損傷することを抑制できる。
【００６１】
図４（ｂ）に示すように、排出パイプ４９の一端が表ケース２０の底面２０Ｃに形成される突出部２３に嵌合され、コイル６が排出パイプ４９の他端に挿通され保持される。よって、電流が流れて磁界が発生した場合に発生するコイル６の振動が排出パイプ４９の一端で規制される。従って、排出パイプ４９でコイル６の振動を抑制できる。
【００６２】
次に、図５を参照して、本発明の第二実施の形態における子機１について説明する。図５（ａ）は、本発明の第二実施の形態における子機１００の一部拡大断面図であり、図５（ｂ）は、キーパット１０４の平面図である。なお、図５（ａ）は、図４（ｂ）に相当する。なお、子機１００の正面図は、第一実施の形態と同様であるため、省略する。なお、上記した第一実施の形態と同一の部分には同一の符号を付して、その説明を省略する。
【００６３】
第一実施の形態における子機１のキーパット４では、集合室４６に集められた液体が排出パイプ４９を介して表ケース２０に穿設された水抜き孔２５から筐体２の外部に排出されるのに対して、第二実施の形態における子機１００のキーパット１０４では、集合室４６に集められた液体が集合室４６に配設される液体を吸収可能な吸収体５０によって吸収され筐体２の外部に排出されない。
【００６４】
これにより、集合室４６に集められた液体が筐体２の外部に排出されることを抑制できるので、見覚えのない液体が子機１００から排出されることにより、ユーザーが不快に感じることを抑制できる。
【００６５】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００６６】
例えば、上記実施の形態では、横壁４２、縦壁４３及び周壁４４は、同一の突設量で延設されるが、これに限られず、異なる突設量で延設されてもよい。この場合は、表ケース２０の湾曲形状に沿って、横壁４２、縦壁４３及び周壁４４の突設量を設定することが望ましい。これにより、各区画室４５の容積を最大に設定することができるので、キーパット４の裏面側に液体が流れ込むことを抑制でき、筐体２の内部でキーパット４の裏面側に収容される基板５に液体が付着して基板５が損傷することをより確実に抑制できる。
【００６７】
また、上記実施の形態では、切り欠き溝４２ａは、各横壁４２にそれぞれ同じ形状で３つ穿設されるが、これに限られず、１つ又は２つであってもよく、異なる形状で穿設してもよい。異なる形状に形成する場合には、中央側に位置する区画室４５の切り欠き溝４２ａを端部側に位置する区画室４５の切り欠き溝４２ａより穿設深さが深くなるように形成することが望ましい。これにより、周壁４４から離間する中央側の区画室４５では、侵入した液体を底面２０Ｃ側に流動させ、周壁４４により形成される端部側の区画室４５では、できるだけ侵入した液体を保持することができる。よって、周壁４４により形成される端部側の区画室４５から液体が底面２０Ｃ側に流動する際に、かかる周壁４４を超えてキーパット４の裏面側に液体が流れ込むことを抑制できる。
【００６８】
さらに、表ケース２０の周溝２４を形成する立壁２４ａの突設量は、表ケース２０の湾曲形状に対応して、表示面２０Ａに近接するに従って大きく設定され、操作面２０Ｂの中央側で最も小さく設定されるが、これに限られず、表ケース２０が湾曲形状に形成されない場合は、立壁２４ａは同一の突設量に設定されることが好ましい。
【００６９】
また、周壁４４の突設先端が平坦状に形成されるが、これに限られず、周壁４４の突設先端が先端に向かって細くなる山型に形成されてもよい。この場合は、周壁４４を周溝２４に係合し易くなるので、周壁４４を周溝２４に係合させる組付作業性を向上できる。
【図面の簡単な説明】
【００７０】
【図１】（ａ）は、本発明の一実施の形態における側方から視た子機の正面図であり、（ｂ）は、図１（ａ）のＩｂ―Ｉｂ線における子機の一部断面図であり、（ｃ）は、図１の矢印Ｉｃ方向から視た子機の下面図である。
【図２】（ａ）は、表ケースの背面図であり、（ｂ）は、裏面から視た表ケースの斜視図である。
【図３】（ａ）は、キーパットの正面図であり、（ｂ）は、正面から視たキーパットの斜視図である。
【図４】（ａ）は、図１（ａ）のＩＶａ―ＩＶａ線における子機の拡大断面図であり、（ｂ）は、図１（ｂ）のＩＶｂ部における子機の一部拡大断面図である。
【図５】（ａ）は、本発明の第二実施の形態における子機の一部拡大断面図であり、（ｂ）は、キーパットの平面図である。
【符号の説明】
【００７１】
１，１００  子機（携帯型電話機）
２          筐体
５          基板
６          コイル
２０        表ケース
２０Ｂ      操作面
２０Ｃ      底面
２１        挿通孔
２４        周溝
２５        水抜き孔
３０        裏ケース
４，１０４  キーパット
４１        キーボタン
４２        横壁
４３        縦壁
４３ａ      切り欠き溝
４４        周壁
４５        区画室
４６        集合室
４７        突部
４９        排出パイプ
５０        吸収体
【図１】
2010154406.tif 000003
【図２】
2010154406.tif 000004
【図３】
2010154406.tif 000005
【図４】
2010154406.tif 000006
【図５】
2010154406.tif 000007